Podtech/llm-jp-corpus-v4-ja_patent huggingface dataset:
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
複数の画素を有する撮像素子と、
ライブビュー表示を行うために、前記撮像素子から、画素信号を第１の読み出しモードで読み出すとともに、前記ライブビュー表示の間に、静止画像を取得するために、前記撮像素子から、画素信号を前記第１の読み出しモードとは異なる第２の読み出しモードで読み出す読み出し手段と、
前記読み出し手段を制御する制御手段と、を備え、
前記第１の読み出しモードで読み出されるラインの数は、前記第２の読み出しモードで読み出されるラインの数よりも少なく、
前記制御手段は、前記第２の読み出しモードにおいて、１フレームにおけるいずれかのラインの信号の読み出しを開始してからその次のラインの信号の読み出しを開始するまでの時間よりも、前記第１の読み出しモードにおいて、１フレームにおけるいずれかのラインの信号の読み出しを開始してからその次のラインの信号の読み出しを開始するまでの時間が長くなるように、前記読み出し手段を制御することを特徴とする撮像装置。
【請求項２】
前記第１の読み出しモードでは、画素信号を間引くあるいは混合して、前記撮像素子から読み出すことを特徴とする請求項１に記載の撮像装置。
【請求項３】
前記第２の読み出しモードでは、画素信号の間引きあるいは混合を行わずに、画素信号を前記撮像素子から読み出すことを特徴とする請求項１または２に記載の撮像装置。
【請求項４】
前記制御手段は、前記第２の読み出しモードにおいて、１フレームの最初のラインの信号の読み出しを開始してから最後のラインの信号の読み出しを開始するまでの時間と、前記第１の読み出しモードにおいて、１フレームの最初のラインの信号の読み出しを開始してから最後のラインの信号の読み出しを開始するまでの時間とが等しくなるように、前記読み出し手段を制御することを特徴とする請求項１乃至３のいずれか１項に記載の撮像装置。
【請求項５】
前記制御手段は、前記第１の読み出しモードでの水平読み出し時間を、前記第２の読み出しモードでの水平読み出し時間に合わせることを特徴とする請求項４に記載の撮像装置。
【請求項６】
前記制御手段は、前記第１の読み出しモードにおいて、いずれかのラインの信号の読み出しを開始してから、その次のラインの信号の読み出しを開始するまでの間に、前記撮像素子からの信号の読み出しを停止することを特徴とする請求項４または５に記載の撮像装置。
【請求項７】
前記制御手段は、前記画素信号の読み出しを停止する時間では、前記撮像素子の駆動を行わずに消費電力を削減することを特徴とする請求項６に記載の撮像装置。
【請求項８】
前記第１の読み出しモードにおいて同時に使用する列出力線の数と、前記第２の読み出しモードにおいて同時に使用する列出力線の数とが異なることを特徴とする請求項１乃至７のいずれか１項に記載の撮像装置。
【請求項９】
前記撮像素子は、第１の光電変換部と第２の光電変換部とを備えた単位画素を有し、前記第１の読み出しモードと、前記第２の読み出しモードの少なくとも一方では、前記第１の光電変換部または前記第２の光電変換部から第１の信号を読み出すとともに、前記第１の光電変換部および前記第２の光電変換部から前記第１の光電変換部と前記第２の光電変換部の信号を混合した第２の信号を読み出し、前記第１の信号と前記第２の信号をオートフォーカス動作に使用することを特徴とする請求項１乃至８のいずれか１項に記載の撮像装置。
【請求項１０】
前記第１の読み出しモードで画素信号が読み出されている状態から、撮影者の操作によって前記第２の読み出しモードに切り替えられること特徴とする請求項１乃至９のいずれか１項に記載の撮像装置。
【請求項１１】
複数の画素を有する撮像素子を備える撮像装置を制御する方法であって、
ライブビュー表示を行うために、前記撮像素子から、画素信号を第１の読み出しモードで読み出すとともに、前記ライブビュー表示の間に、静止画像を取得するために、前記撮像素子から、画素信号を前記第１の読み出しモードとは異なる第２の読み出しモードで読み出す読み出し工程と、
前記読み出し工程を制御する制御工程と、を有し、
前記第１の読み出しモードで読み出されるラインの数は、前記第２の読み出しモードで読み出されるラインの数よりも少なく、
前記制御工程では、前記第２の読み出しモードにおいて、１フレームにおけるいずれかのラインの信号の読み出しを開始してからその次のラインの信号の読み出しを開始するまでの時間よりも、前記第１の読み出しモードにおいて、１フレームにおけるいずれかのラインの信号の読み出しを開始してからその次のラインの信号の読み出しを開始するまでの時間が長くなるように、前記読み出し工程を制御することを特徴とする撮像装置の制御方法。
【請求項１２】
請求項１１に記載の制御方法の各工程をコンピュータに実行させるためのプログラム。
【請求項１３】
請求項１１に記載の制御方法の各工程をコンピュータに実行させるためのプログラムを記憶したコンピュータが読み取り可能な記憶媒体。
【手続補正２】
【補正対象書類名】明細書
【補正対象項目名】０００９
【補正方法】変更
【補正の内容】
【０００９】
本発明に係わる撮像装置は、複数の画素を有する撮像素子と、ライブビュー表示を行うために、前記撮像素子から、画素信号を第１の読み出しモードで読み出すとともに、前記ライブビュー表示の間に、静止画像を取得するために、前記撮像素子から、画素信号を前記第１の読み出しモードとは異なる第２の読み出しモードで読み出す読み出し手段と、前記読み出し手段を制御する制御手段と、を備え、前記第１の読み出しモードで読み出されるラインの数は、前記第２の読み出しモードで読み出されるラインの数よりも少なく、前記制御手段は、前記第２の読み出しモードにおいて、１フレームにおけるいずれかのラインの信号の読み出しを開始してからその次のラインの信号の読み出しを開始するまでの時間よりも、前記第１の読み出しモードにおいて、１フレームにおけるいずれかのラインの信号の読み出しを開始してからその次のラインの信号の読み出しを開始するまでの時間が長くなるように、前記読み出し手段を制御することを特徴とする。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
画像形成処理を実行する画像形成手段と、
ファンと、
温度センサと、
所定期間、前記前記画像形成手段によるある画像形成処理の実行を禁止し且つ前記ファンを駆動する結露除去処理を実行する実行手段と、
前記結露除去処理をすぐに実行させる第１のユーザ指示、及び、前記温度センサの検知結果が所定条件を満たしたときに前記結露除去処理を実行させる第２のユーザ指示、を受け付ける受付手段と、を備える画像形成装置。
【請求項２】
前記ある画像形成処理は、外部装置から受信したファックスデータに基づく画像形成処理である、ことを特徴とする請求項１に記載の画像形成装置。
【請求項３】
少なくとも前記所定期間は前記受信したファックスデータを記憶する記憶手段をさらに備える、ことを特徴とする請求項２に記載の画像形成装置。
【請求項４】
前記画像形成手段は、前記所定期間の終了後に、前記記憶手段に記憶した前記ファックスデータに基づいて画像形成処理を実行する、ことを特徴とする請求項３に記載の画像形成装置。
【請求項５】
原稿の画像を読み取る読取手段をさらに備え、
前記ある画像形成処理は、前記読取手段によって読み取られた前記画像に対応する画像データに基づく画像形成処理である、ことを特徴とする請求項１に記載の画像形成装置。
【請求項６】
前記ある画像形成処理は、外部装置から受信した印刷データに基づく画像形成処理である、ことを特徴とする請求項１に記載の画像形成装置。
【請求項７】
前記温度センサの検知結果が所定条件を満たしたときとは、前記温度センサの検知結果が閾値より小さくなったとき、であることを特徴とする請求項１乃至６の何れか１項に記載の画像形成装置。
【請求項８】
前記第１のユーザ指示及び前記第２のユーザ指示を受信するための画面を表示する表示手段をさらに備える、ことを特徴とする請求項１乃至７の何れか１項に記載の画像形成装置。
【請求項９】
前記画像形成手段は、第１種類の画像形成処理および第２種類の画像形成処理を実行するものであって、
前記所定期間、前記第１種類の画像形成処理及び前記第２種類の画像形成処理の両方の実行が禁止される、又は、前記第１種類の画像形成処理及び前記第２種類の画像形成処理の何れか一方の実行が禁止される、ことを特徴とする請求項１乃至８の何れか１項に記載の画像形成装置。
【請求項１０】
前記第１種類の画像形成処理及び前記第２種類の画像形成処理の何れか一方の実行が禁止される場合、前記所定期間において、外部装置から受信したファックスデータに基づく画像形成処理は禁止されるが、外部から受信したプリントデータに基づく画像形成処理は実行される、ことを特徴とする請求項９に記載の画像形成装置。
【請求項１１】
前記第１種類の画像形成処理及び前記第２種類の画像形成処理の両方の実行が禁止される設定、または、前記第１種類の画像形成処理及び前記第２種類の画像形成処理の何れか一方の実行が禁止される設定を行う設定手段、をさらに備えることを特徴とする請求項９又は１０に記載の画像形成装置。
【請求項１２】
画像形成処理を実行する画像形成手段と、ファンと、温度センサと、を備える画像形成装置の制御方法であって、
所定期間、前記前記画像形成手段によるある画像形成処理の実行を禁止し且つ前記ファンを駆動する結露除去処理を実行する実行ステップと、
前記結露除去処理をすぐに実行させる第１のユーザ指示、及び、前記温度センサの検知結果が所定条件を満たしたときに前記結露除去処理を実行させる第２のユーザ指示、を受け付ける受付ステップと、を有する画像形成装置の制御方法。
【手続補正２】
【補正対象書類名】明細書
【補正対象項目名】発明の名称
【補正方法】変更
【補正の内容】
【発明の名称】画像形成装置、及び、画像形成装置の制御方法
【手続補正３】
【補正対象書類名】明細書
【補正対象項目名】０００１
【補正方法】変更
【補正の内容】
【０００１】
画像形成処理の実行制限を伴う結露除去処理に関する。
【手続補正４】
【補正対象書類名】明細書
【補正対象項目名】００１０
【補正方法】変更
【補正の内容】
【００１０】
上記の課題を解決するために以下の構成を有する。すなわち、画像形成装置は、画像形成処理を実行する画像形成手段と、ファンと、温度センサと、所定期間、前記前記画像形成手段によるある画像形成処理の実行を禁止し且つ前記ファンを駆動する結露除去処理を実行する実行手段と、前記結露除去処理をすぐに実行させる第１のユーザ指示、及び、前記温度センサの検知結果が所定条件を満たしたときに前記結露除去処理を実行させる第２のユーザ指示、を受け付ける受付手段と、を備える。
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取手段によって得た画像データを色補正する画像補正手段と、
前記画像補正手段が補正した補正済みの画像データを出力する画像出力モードを有する画像出力手段と、を備え、
前記画像補正手段は、原稿の画像を読み取る機能を有する外部装置に対応付けられた外部データとの色差に基づいた画像プロファイル結果を算出し、前記画像プロファイル結果に基づいて、前記画像データを色補正することを特徴とする画像出力装置。
【請求項２】
前記外部データを受け付ける受付手段と、
前記外部データの元原稿と同一の原稿を前記画像読取手段で読み取って得た画像データと前記外部データとを比較して、前記外部データの画像プロファイルを生成する画像プロファイル生成手段と、
を備えたことを特徴とする請求項１に記載の画像出力装置。
【請求項３】
前記外部データの画像プロファイル結果には、前記外部データの元原稿と同一の原稿を前記画像読取手段で読み取って得た画像データと前記外部データとの色差を示す色情報が含まれることを特徴とする請求項１又は２に記載の画像出力装置。
【請求項４】
前記画像出力手段は、前記画像読取手段で読み取った画像データを前記画像補正手段で補正せずに出力する画像出力モードを有することを特徴とする請求項１又は２に記載の画像出力装置。
【請求項５】
前記外部データの画像プロファイル結果に基づいて、補正パラメータを指定する指定手段をさらに有し、
前記画像補正手段は、前記指定手段で指定された前記補正パラメータに基づいて、前記画像読取手段で読み取った画像データを補正することを特徴とする請求項１乃至４のいずれか１項に記載の画像出力装置。
【請求項６】
ユーザインターフェイスをさらに有し、
前記ユーザインターフェイスでユーザにより前記補正パラメータを指定することを特徴とする請求項５に記載の画像出力装置。
【請求項７】
前記補正パラメータは、前記画像補正手段による補正前後の色の対応付けを含み、
前記ユーザインターフェイスに、前記補正前後の色を対応付けた画像を表示することを特徴とする請求項６に記載の画像出力装置。
【請求項８】
前記補正前後の色を対応付けた画像は、前記画像補正手段による補正前と補正後のそれぞれについて複数の色を配置した基準画像と調整画像を含み、
前記基準画像と調整画像はそれぞれ、元原稿を前記外部装置で読み取った画像と前記画像読取手段で読み取った画像であることを特徴とする請求項７に記載の画像出力装置。
【請求項９】
前記ユーザインターフェイスは、前記調整画像として、複数の色を配置した前記元原稿を前記画像読取手段により読み取ったカラー画像データを表示し、前記基準画像として、前記元原稿の各色に対応する位置に、対応する色を配置したカラー画像を表示することを特徴とする請求項８に記載の画像出力装置。
【請求項１０】
前記ユーザインターフェイスは、前記基準画像として、外部の画像読取装置により前記元原稿を読み取ったカラー画像を表示することを特徴とする請求項９に記載の画像出力装置。
【請求項１１】
前記元原稿には、濃度が相異なる複数のモノクロームのサンプルと、色相が相異なる複数のカラーのサンプルとを含むことを特徴とする請求項９又は１０に記載の画像出力装置。
【請求項１２】
前記ユーザインターフェイスは、前記基準画像として、あらかじめ格納されている複数の相異なる基準画像のうちから選択された一つの基準画像を前記調整画像と対応付けて表示することを特徴とする請求項８乃至１１のいずれか１項に記載の画像出力装置。
【請求項１３】
前記画像補正手段は、前記画像読取手段によって得た画像データの着目した色に対して、前記元原稿を前記画像読取手段で読み取って得た画像データの色のうち、前記着目した色との色差が最も小さい色と、当該画像データの色に対応する前記外部データの色との色差を加えることで前記着目した色を補正することを特徴とする請求項２に記載の画像出力装置。
【請求項１４】
前記画像プロファイル生成手段は、前記元原稿を前記画像読取手段で読み取って得た画像データの色と、該色に対応する前記外部データの色との色差が閾値を超えている場合には、前記画像プロファイルを生成しないことを特徴とする請求項２又は１３に記載の画像出力装置。
【請求項１５】
請求項５に記載の画像出力装置と、該画像出力装置に通信可能に接続された情報処理装置とを含み、
前記情報処理装置が、ユーザインターフェイスを有し、
前記ユーザインターフェイスでユーザにより前記補正パラメータを指定することを特徴とする画像読取システム。
【請求項１６】
前記画像出力装置は、画像読取装置と、該画像読取装置に通信可能に接続された情報処理装置とを含み、
前記画像読取装置が、前記画像読取手段と、前記画像補正手段と、前記画像出力手段と、前記ユーザインターフェイスとを含むことを特徴とする請求項１５に記載の画像読取システム。
【請求項１７】
前記ユーザインターフェイスに、前記画像補正手段による補正前後の色を対応付けた画像を表示することを特徴とする請求項１６に記載の画像読取システム。
【手続補正２】
【補正対象書類名】明細書
【補正対象項目名】０００６
【補正方法】変更
【補正の内容】
【０００６】
かかる本発明は、原稿の画像を読み取る画像読取手段によって得た画像データを色補正する画像補正手段と、前記画像補正手段が補正した補正済みの画像データを出力する画像出力モードを有する画像出力手段と、を備え、前記画像補正手段は、原稿の画像を読み取る機能を有する外部装置に対応付けられた外部データとの色差に基づいた画像プロファイル結果を算出し、前記画像プロファイル結果に基づいて、前記画像データを色補正することを特徴とする画像出力装置、又は画像読取システムにある。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
少なくとも第１のアプリケーションと第２のアプリケーションを含む複数のアプリケーションが連携して情報処理を行う情報処理装置であって、
前記第１のアプリケーションから前記第２のアプリケーションの呼び出し要求を行う呼出手段と、
前記第１のアプリケーションと前記第２のアプリケーションが参照可能であり、前記情報処理装置が接続可能な外部装置の識別情報を記憶する記憶手段と、
前記第１のアプリケーションが前記記憶手段に記憶された前記識別情報を参照して、ユーザが外部装置の選択を行うための表示を行う表示手段と、
前記第１のアプリケーションから呼び出された第２のアプリケーションを起動する際、ユーザに選択された外部装置と接続を確立して通信を行う通信手段と、
を備えることを特徴とする情報処理装置。
【請求項２】
前記第１のアプリケーションは、前記第２のアプリケーションの呼び出し要求に前記ユーザに選択された外部装置の識別情報を含ませることを特徴とする請求項１に記載の情報処理装置。
【請求項３】
前記第２のアプリケーションは、前記呼び出し要求に含まれた外部装置の識別情報を用いて外部装置と接続を確立することで、ユーザに外部装置との接続に関する設定の要求を不要としたことを特徴とする請求項１または２に記載の情報処理装置。
【請求項４】
前記第２のアプリケーションは、外部装置の検出状態に応じて、前記記憶手段に記憶された前記識別情報の更新を行うことを特徴とする請求項１乃至３のいずれか１項に記載の情報処理装置。
【請求項５】
前記外部装置との接続は、Ｗｉ−Ｆｉ接続であることを特徴とする請求項１乃至４のいずれか１項に記載の情報処理装置。
【請求項６】
前記第２のアプリケーションは、前記情報処理装置と外部装置とのＢＬＥ接続の可否に応じて、前記記憶手段に記憶された識別情報の更新を行うことを特徴とする請求項５に記載の情報処理装置。
【請求項７】
前記第２のアプリケーションの起動中に前記通信手段がユーザに選択され外部装置と接続して前記外部装置から画像を受信し、当該画像を第１のアプリケーションで編集できるようにしたことを特徴とする請求項１乃至６のいずれか１項に記載の情報処理装置。
【請求項８】
少なくとも第１のアプリケーションと第２のアプリケーションを含む複数のアプリケーションが連携して情報処理を行う情報処理装置の制御方法であって、
前記第１のアプリケーションから前記第２のアプリケーションの呼び出し要求を行う呼出工程と、
前記第１のアプリケーションと前記第２のアプリケーションが参照可能であり、前記情報処理装置が接続可能な外部装置の識別情報を記憶する記憶工程と、
前記第１のアプリケーションが前記記憶工程で記憶された前記識別情報を参照して、ユーザが外部装置の選択を行うための表示を行う表示工程と、
前記第１のアプリケーションから呼び出された第２のアプリケーションを起動する際、ユーザに選択された外部装置と接続を確立して通信を行う通信工程と、
を備えることを特徴とする情報処理装置の制御方法。
【請求項９】
外部装置と無線接続可能するための通信アプリケーションがインストールされた通信装置にインストールされる画像処理アプリケーションであって、
前記通信アプリケーションにより管理される前記外部装置の情報を取得する機能と、
前記通信アプリケーションにより管理されている情報に基づくアイテムを表示する機能と、
前記表示したアイテムのうちのいずれかの選択を受け付ける機能と、
前記選択を受け付けた場合、前記通信アプリケーションを呼び出す機能と、
前記通信アプリケーションを呼び出す際に、前記通信アプリケーションに、前記選択を受け付けたアイテムに対応する外部装置を指定する機能と、
を有することを特徴とする画像処理アプリケーション。
【請求項１０】
画像処理アプリケーションがインストールされた通信装置にインストールされる通信アプリケーションであって、
複数の外部装置との無線通信を制御する機能と、
前記画像処理アプリケーションから呼び出される機能と、
前記画像処理アプリケーションから呼び出される前に、前記複数の外部装置の情報を、前記画像処理アプリケーションと共有する機能と、
前記画像処理アプリケーションから呼び出される際に、前記画像処理アプリケーションから指定された外部装置と無線接続を確立する機能と、
を有することを特徴とする通信アプリケーション。
【請求項１１】
コンピュータを請求項１乃至７のいずれか１項に記載の情報処理装置の各手段として機能させるための、コンピュータが読み取り可能なプログラム。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサおよびメモリを備えるコンピュータにより実行されるものであり、
前記ゲームプログラムは、前記プロセッサに、
ユーザが所有する１以上のキャラクタを、該ユーザの入力操作にしたがってデッキに組み入れて該デッキを編成するステップと、
前記デッキに組み入れられた各キャラクタに基づいて、前記ユーザがプレイするゲームパートを進行させるステップと、を実行させ、
前記デッキを編成するステップは、さらに、前記デッキごとに生成されるデッキ情報、および、前記ユーザごとに設定されるユーザ情報の少なくともいずれか一方に対応付けて、前記ゲームパートを有利に進行させる効果を有するアイテムを設定し、
前記ゲームパートを進行させるステップは、前記ゲームパート内で出題される問題に正解することを含む条件が成立することにより、設定された前記アイテムが有する前記効果を発動させる、ゲームプログラム。
【請求項２】
前記ゲームパートを進行させるステップは、前記問題に正解しない場合には、前記効果を発動させない、請求項１に記載のゲームプログラム。
【請求項３】
前記ゲームパートを進行させるステップは、予め定められた時間内において前記問題に正解することにより条件が成立して、前記効果を発動させる、請求項１または請求項２に記載のゲームプログラム。
【請求項４】
前記デッキを編成するステップは、前記アイテムを、前記ユーザ情報として該ユーザに割り当てられたアバターに対応付けて設定し、
前記アバターは、前記デッキに組み入れ不可能であるものの、当該アバターに設定されているアイテムを介して前記ゲームパートの進行に影響を与えることを可能とする、請求項１から３のいずれか１項に記載のゲームプログラム。
【請求項５】
前記ゲームプログラムは、前記プロセッサに、
複数のデッキのうち前記ゲームパートで使用するデッキを選択する入力操作を前記ユーザから受け付けるステップ、を実行させ、
前記ゲームパートを進行させるステップは、いずれのデッキが選択されても、前記ユーザ情報に対応付けて設定された前記アイテムが有する前記効果を発動させる、請求項４に記載のゲームプログラム。
【請求項６】
前記ゲームプログラムは、前記プロセッサに、
複数のデッキのうち前記ゲームパートで使用するデッキを選択する入力操作を前記ユーザから受け付けるステップ、を実行させ、
前記ゲームパートを進行させるステップは、選択されたデッキのデッキ情報に対応付けて設定された前記アイテムが有する前記効果を発動させる、請求項１から５のいずれか１項に記載のゲームプログラム。
【請求項７】
前記ゲームプログラムは、前記プロセッサに、
前記デッキを編成するステップにおいて前記ユーザの入力操作を受け付けるためのゲーム画面を表示部に表示するステップ、を実行させ、
前記表示するステップは、
前記ユーザが保有する１以上のキャラクタを前記デッキに組み入れるための入力操作を受け付ける第１ゲーム画面と、
前記デッキ情報、および、前記ユーザ情報の少なくともいずれか一方に対応付けて設定する前記アイテムを選択するための入力操作を受け付ける第２ゲーム画面とを切り替え可能にまたは同時に表示する、請求項１から６のいずれか１項に記載のゲームプログラム。
【請求項８】
前記ゲームプログラムは、前記プロセッサに、
抽選を実行し、当選したキャラクタを前記ユーザに所有させるステップと、
前記キャラクタと引き換えに、該キャラクタに基づいて生成された前記アイテムを前記ユーザに所有させるステップと、を実行させる、請求項１から７のいずれか１項に記載のゲームプログラム。
【請求項９】
前記アイテムには、前記効果および該効果が得られる条件の少なくとも一方に応じて複数の種類があり、
前記アイテムを前記ユーザに所有させるステップは、１つの前記キャラクタに基づいて生成されるアイテムの種類を抽選で決定する、請求項８に記載のゲームプログラム。
【請求項１０】
前記ゲームパートを進行させるステップは、前記ユーザのプレイの結果、該ゲームパートの進行が、前記ゲームパート内で出題される問題に正解することを含む所定の条件を満足する場合に、前記効果を発動させる、請求項１から９のいずれか１項に記載のゲームプログラム。
【請求項１１】
前記ゲームプログラムは、前記プロセッサに、
前記ゲームパートを進行させるステップにおいて前記ユーザの入力操作を受け付けるための第３ゲーム画面を表示部に表示するステップ、を実行させ、
前記第３ゲーム画面を表示するステップは、前記ゲームパートの進行が前記所定の条件を満足するまでの進捗状況を前記ユーザに通知する第１ＵＩ部品を前記第３ゲーム画面に配置する、請求項１０に記載のゲームプログラム。
【請求項１２】
コンピュータがゲームプログラムを実行する方法であって、
前記コンピュータは、プロセッサおよびメモリを備え、
前記プロセッサが請求項１に記載の各ステップを実行する方法。
【請求項１３】
情報処理装置であって、
前記情報処理装置は、
請求項１に記載のゲームプログラムを記憶する記憶部と、
該ゲームプログラムを実行することにより、情報処理装置の動作を制御する制御部とを備えている、情報処理装置。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
充放電可能な２次電池（１０）の充放電を制御することで前記２次電池に流れるリップル電流によって前記２次電池を自己発熱させる電池温調装置であって、
前記２次電池の外側に配置され、前記２次電池から放出される熱を断熱する断熱部（１２）と、
熱媒体が循環すると共に、前記２次電池の熱を前記熱媒体で受け取る熱媒体回路（２８、４０）と、
を含み、
前記熱媒体回路は、冷媒が循環することによって低温側から高温側に熱をくみ上げるヒートポンプ回路（２８）を含み、
前記熱媒体は、前記ヒートポンプ回路を循環する前記冷媒である電池温調装置。
【請求項２】
前記２次電池から放出される熱を蓄熱する蓄熱部（１４）を含む請求項１に記載の電池温調装置。
【請求項３】
充放電可能な２次電池（１０）の充放電を制御することで前記２次電池に流れるリップル電流によって前記２次電池を自己発熱させる電池温調装置であって、
前記２次電池から放出される熱を蓄熱する蓄熱部（１４）と、
熱媒体が循環すると共に、前記２次電池の熱を前記熱媒体で受け取る熱媒体回路（２８、４０）と、
を含み、
前記熱媒体回路は、冷媒が循環することによって低温側から高温側に熱をくみ上げるヒートポンプ回路（２８）を含み、
前記熱媒体は、前記ヒートポンプ回路を循環する前記冷媒である電池温調装置。
【手続補正２】
【補正対象書類名】明細書
【補正対象項目名】０００７
【補正方法】変更
【補正の内容】
【０００７】
上記目的を達成するため、請求項１に記載の発明では、充放電可能な２次電池（１０）の充放電を制御することで２次電池に流れるリップル電流によって２次電池を自己発熱させる電池温調装置であって、２次電池の外側に配置され、２次電池から放出される熱を断熱する断熱部（１２）と、熱媒体が循環すると共に、２次電池の熱を熱媒体で受け取る熱媒体回路（２８、４０）と、を含み、熱媒体回路は、冷媒が循環することによって低温側から高温側に熱をくみ上げるヒートポンプ回路（２８）を含み、熱媒体は、ヒートポンプ回路を循環する前記冷媒である。
請求項３に記載の発明では、充放電可能な２次電池（１０）の充放電を制御することで２次電池に流れるリップル電流によって２次電池を自己発熱させる電池温調装置であって、２次電池から放出される熱を蓄熱する蓄熱部（１４）と、熱媒体が循環すると共に、２次電池の熱を熱媒体で受け取る熱媒体回路（２８、４０）と、を含み、熱媒体回路は、冷媒が循環することによって低温側から高温側に熱をくみ上げるヒートポンプ回路（２８）を含み、熱媒体は、ヒートポンプ回路を循環する冷媒である。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
ケーブルが通る第１の穴部が形成され、変形可能なシール部材と、
前記シール部材を収容するシール収容部および該シール収容部に繋がって前記ケーブルが通る第２の穴部が形成されたケースと、
前記ケーブルが通る第３の穴部および前記シール収容部内に収容された前記シール部材を押圧するための押圧部が形成され、前記ケースに固定された押圧部材とを有し、
前記シール収容部における前記第２の穴部に繋がる部分と前記押圧部材における前記押圧部と前記第３の穴部とを繋ぐ部分のうち少なくとも一方に、前記ケーブルに対して傾いた斜面が形成されており、
前記斜面と前記ケーブルとの間に、前記押圧部により押圧された前記シール部材の一部が入り込んでいることを特徴とする電子機器。
【請求項２】
前記押圧部と前記シール収容部における前記押圧部に対向する面との間で圧縮された前記シール部材のうち前記第１の穴部の周囲の部分が、前記斜面によって前記ケーブルに向かって押し出されていることを特徴とする請求項１に記載の電子機器。
【請求項３】
前記押圧部材は、前記第３の穴部の両側に前記ケースに固定される固定部を有し、
前記第３の穴部と前記固定部が並ぶ方向を第１の方向とし、前記第１、第２および第３の穴部が連なる方向を第２の方向とし、前記第１および第２の方向のそれぞれに直交する方向を第３の方向とするとき、
前記ケースの前記第３の方向の寸法が、該ケースの前記第１の方向の寸法以下であることを特徴とする請求項１または２に記載の電子機器。
【請求項４】
前記ケースの前記第３の方向の寸法が、前記押圧部材の前記第１の方向の寸法より小さいことを特徴とする請求項３に記載の電子機器。
【請求項５】
前記ケースの内側に、前記第３、前記第１および前記第２の穴部を通って前記ケース内に延びる前記ケーブルを曲げるためのガイド部が設けられていることを特徴とする請求項１から４のいずれか一項に記載の電子機器。
【請求項６】
前記ケースは、前記ケーブルに接続された電気回路基板を保持していることを特徴とする請求項１から５のいずれか一項に記載の電子機器。
【請求項７】
電気回路基板に接続され、前記ケースの外部に突出するコネクタを有することを特徴とする請求項１から６のいずれか一項に記載の電子機器。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
エネルギー源（５）によって固化することができる造形材料（４）の層を連続して層ごとに選択的に照射及び固化することによって３次元の物体（３）を付加製造する少なくとも１つの装置（２）を備えるプラント（１）であって、少なくとも１つの動作可能な構成要素（７、１２〜１４）を備えるプラント（１）において、前記プラント（１）の少なくとも１つの構成要素（７、１２〜１４）に関する構成要素データを判定するように適合された判定ユニット（９）を有し、前記構成要素データを記憶するためのデータ記憶部（１０）が設けられ、前記少なくとも１つの装置（２）は、前記構成要素データに基づいて前記少なくとも１つの構成要素（７、１２〜１４）を製造するように適合され、
前記少なくとも１つの装置（２）を制御するように適合された制御ユニット（１１）を有し、前記データ記憶部（１０）内に記憶された対応する構成要素データに基づいて、少なくとも１つの保守パラメータに応じて、少なくとも１つの構成要素（７、１２〜１４）が造形され、
前記制御ユニット（１１）は、前記少なくとも１つの保守パラメータを判定するように適合され、
前記保守パラメータは、障害を起こした、または動作不良を起こしている構成要素を適時交換できることを確実にするために、現在動作可能な前記少なくとも１つの構成要素（７、１２〜１４）が動作不良を起こしまたは動作不能になる確率を示し、
前記制御ユニット（１１）は、前記保守パラメータに基づいて、前記確率が所定値を超える保守パラメータに対応する前記構成要素（７、１２〜１４）が付加製造されるように、前記保守パラメータに応じて前記装置（２）を制御するように適合される、
プラント。
【請求項２】
前記構成要素データは、
少なくとも１つの構成要素（７、１２〜１４）の少なくとも１つの幾何学的パラメータ、及び／又は、
少なくとも１つの構成要素（７、１２〜１４）の少なくとも１つの化学的パラメータ、及び／又は、
少なくとも１つの構成要素（７、１２〜１４）の少なくとも１つの物理的パラメータ、
を含む、
請求項１に記載のプラント。
【請求項３】
前記判定ユニット（９）は、３次元スキャナ、Ｘ線判定要素、触覚判定要素、及び超音波判定要素の少なくとも１つを備える、
請求項１又は請求項２に記載のプラント。
【請求項４】
前記データ記憶部（１０）は、前記判定ユニット（９）を介して判定された構成要素データを記憶するように適合される、
請求項１〜請求項３のいずれか１項に記載のプラント。
【請求項５】
前記少なくとも１つの保守パラメータは、前記プラント（１）の少なくとも１つの構成要素（７、１２〜１４）の操作可能性に関する、
請求項１に記載のプラント。
【請求項６】
前記制御ユニット（１１）は、前記保守パラメータに応じて前記少なくとも１つの装置（２）を制御するように適合され、前記装置（２）は、前記保守パラメータに応じて少なくとも１つの構成要素（７、１２〜１４）を製造するために使用される、
請求項１又は請求項５に記載のプラント。
【請求項７】
前記制御ユニット（１１）は、前記データ記憶部（１０）内に記憶された構成要素データを変更するように適合される、
請求項１〜請求項６のいずれか１項に記載のプラント。
【請求項８】
請求項１〜請求項７のいずれか１項に記載のプラント向けの付加製造装置（２）であって、前記装置（２）は、前記プラントの少なくとも１つの構成要素（７、１２〜１４）に関する構成要素データを含むデータ記憶部（１０）に接続されており又は接続可能であり、前記少なくとも１つの装置（２）は、前記構成要素データに基づいて前記少なくとも１つの構成要素（７、１２〜１４）を製造するように適合される、
装置。
【請求項９】
請求項１〜請求項７のいずれか１項に記載のプラント向けの付加製造装置（２）であって、前記装置（２）は、判定ユニット（９）に接続されており又は接続可能であり、前記判定ユニット（９）は、前記装置（２）内に一体化されており、前記プラント（１）及び／又は前記装置（２）の少なくとも１つの構成要素（７、１２〜１４）に関する構成要素データを判定するように適合され、前記構成要素データを記憶するためのデータ記憶部（１０）が設けられ、前記少なくとも１つの装置（２）は、前記構成要素データに基づいて前記少なくとも１つの構成要素（７、１２〜１４）を製造するように適合される、
装置。
【請求項１０】
エネルギー源（５）によって固化することができる造形材料（４）の層を連続して層ごとに選択的に照射及び固化することによって３次元の物体（３）を付加製造する少なくとも１つの請求項８または請求項９に記載の装置（２）を備えるプラント（１）を動作させる方法であって、前記プラント（１）は、少なくとも１つの動作可能な構成要素（７、１２〜１４）を備え、前記プラント（１）の少なくとも１つの構成要素（７、１２〜１４）に関する構成要素データが、データ記憶部（１０）内に記憶され、前記少なくとも１つの装置（２）は、前記構成要素データに基づいて前記少なくとも１つの構成要素（７、１２〜１４）を製造するために使用される、
方法。
【請求項１１】
前記プラントの少なくとも１つの構成要素（７、１２〜１４）の構成要素データが判定され、データ記憶部（１０）内に記憶され、前記少なくとも１つの装置（２）を介して、保守パラメータに応じて、対応する構成要素（７、１２〜１４）が付加製造される、
請求項１０に記載の方法。
【請求項１２】
前記保守パラメータは、前記プラント（１）の少なくとも１つの構成要素（７、１２〜１４）の操作可能性に関する、
請求項１０又は請求項１１に記載の方法。
【請求項１３】
前記プラント（１）の対応する構成要素（７、１２〜１４）が動作不能になり且つ／又は動作不能であると判定された場合、前記構成要素データに基づいて、前記少なくとも１つの装置（２）を介して、前記プラント（１）の構成要素（７、１２〜１４）が自動的に製造される、
請求項１０〜請求項１２のいずれか１項に記載の方法。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
歩行通路を有するトンネル部と、
前記トンネル部の先端に設けられたキャブと、
前記トンネル部又は前記キャブに設けられた駆動輪と、
前記キャブの先端位置を回転させる回転機構と、
前記駆動輪を制御することにより前記キャブを移動させるとともに、前記回転機構を制御することにより前記キャブの先端部分が航空機の乗降部と対向する姿勢となるように前記キャブの先端位置を回転させ、前記キャブの先端部分を前記乗降部に装着させる制御部と、
前記キャブに取り付けられ、前記キャブの床の先端に設けられたバンパーと共に前記航空機の乗降部を撮影する乗降部撮影用カメラと、
前記乗降部撮影用カメラで撮影される前記乗降部の画像に基づいて前記航空機の乗降部を検知するとともに、当該乗降部の位置情報を算出する乗降位置算出部と、
を備え、
前記制御部は、
前記乗降位置算出部で算出される前記乗降部の位置情報に基づいて、前記キャブを前記乗降部に装着するために移動させる移動先の目標位置を算出し、前記キャブを前記目標位置に向かって移動させるよう構成された、
旅客搭乗橋。
【請求項２】
前記目標位置は、前記キャブが前記乗降部から所定距離前方に位置するときの前記キャブの位置であり、
前記制御部は、
前記キャブが前記目標位置に到達したときに前記乗降位置算出部で算出される前記乗降部の位置情報に基づいて、前記キャブが前記乗降部に装着されるときの位置である装着位置を算出し、前記装着位置まで前記キャブを移動させて停止させるよう構成された、
請求項１に記載の旅客搭乗橋。
【請求項３】
前記制御部は、
前記キャブが前記目標位置に到達したときに前記キャブの移動を一時停止させ、この一時停止させた状態のときに前記装着位置を算出し、その後、前記装着位置に向かって前記キャブの移動を再開させるよう構成された、
請求項２に記載の旅客搭乗橋。
【請求項４】
前記目標位置は、前記キャブが前記乗降部に装着されるときの前記キャブの位置であり、
前記制御部は、
前記キャブが前記目標位置に到達したときに前記キャブの移動を停止させるよう構成された、
請求項１に記載の旅客搭乗橋。
【請求項５】
前記制御部によって制御され前記キャブを昇降させる昇降機構をさらに備え、
前記乗降位置算出部は、
前記乗降部の画像に基づいて前記キャブの高さを前記乗降部の高さに合わせるための前記キャブの上下移動量を算出するよう構成され、
前記制御部は、
前記乗降位置算出部で算出された前記キャブの上下移動量に基づいて前記キャブを昇降させるよう構成された、
請求項１〜４のいずれかに記載の旅客搭乗橋。
【請求項６】
前記乗降位置算出部は、
前記乗降部撮影用カメラで撮影される前記航空機の前記乗降部のドアのコーナー部の形状に基づいて前記乗降部を検知し、前記ドアの前記コーナー部の曲線部分と前記コーナー部に続く直線部分との境界点を検出し、この境界点に基づいて前記乗降部の位置情報を算出するよう構成された、
請求項１〜５のいずれかに記載の旅客搭乗橋。
【請求項７】
前記乗降位置算出部は、
前記乗降部撮影用カメラで撮影される前記ドアのコーナー部の形状と前記ドアの直下に存在する補強用プレートの形状とに基づいて前記乗降部を検知するよう構成された、
請求項６に記載の旅客搭乗橋。
【請求項８】
前記キャブの先端部分の左右に取り付けられ、前記航空機との距離を計測する一対の距離センサをさらに備え、
前記制御部は、
前記一対の距離センサの計測値が等しくなるように前記キャブの先端位置を回転させるよう構成された、
請求項１〜７のいずれかに記載の旅客搭乗橋。
【請求項９】
前記キャブが所定の待機位置にあるときに前記航空機が所定の駐機場所に到着して停止したことを検出する航空機検出部をさらに備え、
前記乗降位置算出部は、
前記航空機検出部による検出があったときに動作を開始するよう構成された、
請求項１〜８のいずれかに記載の旅客搭乗橋。
【請求項１０】
前記キャブに取り付けられ、前記キャブの前記航空機の乗降部への装着が完了したことを前記航空機の乗務員に報知する報知部をさらに備え、
前記制御部は、
前記キャブを前記乗降部に装着させたときに前記報知部に前記装着が完了したことを報知させるよう構成された、
請求項１〜９のいずれかに記載の旅客搭乗橋。
【請求項１１】
前記キャブに取り付けられ、前記航空機の前輪及びその周辺部を撮影する前輪撮影用カメラと、
前記キャブが所定の待機位置にあるときに前記前輪撮影用カメラで撮影される航空機の前輪及びその周辺部の画像と予め記憶されている機種ごとの航空機の前輪及びその周辺部の形状パターンとを比較することにより、前記航空機の機種を判別する機種判別部と、をさらに備えた、
請求項１〜７のいずれかに記載の旅客搭乗橋。
【請求項１２】
前記キャブの先端部分の左右に取り付けられ、前記航空機との距離を計測する一対のレーザー距離計をさらに備え、
平面視において、前記レーザー距離計のレーザ出射方向と前記乗降部撮影用カメラの撮影方向とが一致している、
請求項１〜７のいずれかに記載の旅客搭乗橋。
【請求項１３】
前記乗降部撮影用カメラは、
前記キャブの床面より上の前記キャブの内部に設置されて前記キャブに対して設置位置及び撮影方向が固定されており、平面視においてその撮影方向が前記キャブの先端部分の前記バンパーと直交するよう構成された、
請求項１〜１２のいずれかに記載の旅客搭乗橋。
【請求項１４】
前記制御部は、
前記駆動輪を制御して前記キャブを前記目標位置に向かって移動させているときに、前記乗降部撮影用カメラによる撮影画像を監視し、この撮影画像から前記乗降部を検知できなくなった場合に、不具合が発生したと判断し、自動制御を停止するよう構成された、
請求項１〜１３のいずれかに記載の旅客搭乗橋。
【請求項１５】
前記トンネル部の基端が接続されたロタンダと、
前記ロタンダの中心点から前記キャブの中心点までの距離を検出するための距離センサと、
前記ロタンダまわりの前記トンネル部の回転角度を検出する角度センサと、
前記キャブに搭載され前記キャブの位置を検出するための衛星測位システムの受信機と、
をさらに備え、
前記制御部は、
前記受信機によって検出される前記キャブの位置と、前記距離センサ及び前記角度センサの計測値から算出される前記キャブの位置との誤差を算出し、この誤差が許容範囲を超えると異常と判断し、自動制御を停止するよう構成された、
請求項１〜１４のいずれかに記載の旅客搭乗橋。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
プロセッサとメモリを有して車両に搭載され、前記車両を目標駐車位置へ制御する車両制御装置であって、
前記車両の周囲の障害物の位置を検出する障害物検出部と、
前記障害物の位置に基づいて、前記車両が走行可能な領域を走行可能領域として設定し、前記走行可能領域内で前記目標駐車位置を設定する走行可能領域設定部と、
前記走行可能領域内で前記目標駐車位置への走行経路を算出する経路生成部と、
前記走行経路に基づいて前記車両を前記目標駐車位置へ向けて走行させる駐車実行部と、を有し、
前記経路生成部は、
設定された駐車開始位置から前記目標駐車位置までの経路を１以上の区間で生成し、前記区間の距離が所定の距離未満の場合には、前記区間の距離を所定の距離以上に補正することを特徴とする車両制御装置。
【請求項２】
請求項１に記載の車両制御装置であって、
前記経路生成部は、
前記区間に進行方向を切り替える切り返し位置を含み、前記区間の距離が前記所定の距離未満の場合には、前記区間内の旋回半径を拡大し、又は、前記区間内の走行経路に直線経路を追加して前記区間の距離を前記所定の距離以上に補正することを特徴とする車両制御装置。
【請求項３】
請求項２に記載の車両制御装置であって、
前記経路生成部は、
前記区間の距離が前記所定の距離未満で、かつ、前記区間内の旋回半径を拡大できない場合には、前記区間に直線の経路を追加して前記区間の距離を前記所定の距離以上に補正することを特徴とする車両制御装置。
【請求項４】
請求項１に記載の車両制御装置であって、
前記経路生成部は、
車速に基づく最小移動距離として設定された第１の移動距離と、ドライバへ自動駐車による移動を知覚させるための所定の移動距離として設定された第２の移動距離のうち、いずれか大きい方を前記所定の距離として選択することを特徴とする車両制御装置。
【請求項５】
請求項４に記載の車両制御装置であって、
前記目標駐車位置は、車両を囲む範囲を有し、
前記経路生成部は、
前記車両の端点の一部が前記範囲内にある場合には、前記第２の移動距離の使用を禁止することを特徴とする車両制御装置。
【請求項６】
請求項４に記載の車両制御装置であって、
前記経路生成部は、
前記走行経路の算出において、再計算が発生した場合には、前記第２の移動距離の使用を禁止することを特徴とする車両制御装置。
【請求項７】
請求項４に記載の車両制御装置であって、
前記経路生成部は、
前記駐車開始位置からの走行経路が前記目標駐車位置から離れる方向へ向かう場合には、前記駐車開始位置からの走行経路が前記目標駐車位置へ近接する場合に比して、前記第２の移動距離を短く設定することを特徴とする車両制御装置。
【請求項８】
請求項４に記載の車両制御装置であって、
前記経路生成部は、
前記障害物検出部が障害物を検出した場合、前記駐車開始位置と障害物との距離が近いほど、前記第２の移動距離を短く設定することを特徴とする車両制御装置。
【請求項９】
請求項４に記載の車両制御装置であって、
前記第１の移動距離は、前記車速が所定値Ｖｔｈに達する距離であることを特徴とする車両制御装置。
【請求項１０】
請求項４に記載の車両制御装置であって、
前記車両制御装置は、走行経路を表示する表示部に接続され、
前記第２の移動距離は、前記経路生成部が走行予定の前記走行経路を前記表示部に出力する際の長さに関連することを特徴とする車両制御装置。
【請求項１１】
請求項９に記載の車両制御装置であって、
前記経路生成部は、
前記車両の自己位置を推定する車輪速センサの分解能あるいは精度が高いほど、前記車速の所定値Ｖｔｈに大きい値を設定することを特徴とする車両制御装置。
【請求項１２】
請求項９に記載の車両制御装置であって、
前記経路生成部は、
前記走行可能領域の勾配が大きいほど、前記車速の所定値Ｖｔｈに大きい値を設定することを特徴とする車両制御装置。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
殺生物性四級アンモニウム化合物、過酸化水素、および少なくとも１つの酸またはその塩を含む消毒組成物、
二部消毒剤組成物であって、前記組成物の第１の部分が殺生物性四級アンモニウム化合物および少なくとも１つの酸またはその塩を含み、前記組成物の第２の部分が過酸化水素を含む、二部消毒剤組成物、
上記組成物を表面に塗布することを含む、表面上の微生物を殺すか、またはその増殖を阻止する方法、
表面を消毒する方法であって、前記表面に上記組成物を塗布することを含む方法、
表面上の微生物を殺すか、またはその増殖を阻止するための、上記組成物の使用、又は
表面を消毒するための、上記組成物の使用。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
イソクエン酸デヒドロゲナーゼ２（ＩＤＨ２）の変異アレルの存在を特徴とする固形腫
瘍を治療するための医薬組成物であって、治療上有効用量の変異ＩＤＨ２の阻害剤を含み
、該阻害剤が、２−メチル−１−［（４−［６−（トリフルオロメチル）ピリジン−２−
イル］−６−｛［２−（トリフルオロメチル）ピリジン−４−イル］アミノ｝−１，３，
５−トリアジン−２−イル）アミノ］プロパン−２−オール、又は２−メチル−１−［（
４−［６−（トリフルオロメチル）ピリジン−２−イル］−６−｛［２−（トリフルオロ
メチル）ピリジン−４−イル］アミノ｝−１，３，５−トリアジン−２−イル）アミノ］
プロパン−２−オール・メタンスルホン酸塩であり、該固形腫瘍が、神経膠腫、黒色腫、
軟骨肉腫、又は胆管細胞癌であり、該治療上有効用量が、約３０ｍｇ〜約３００ｍｇであ
り、１日１回または２回、経口投与される、前記医薬組成物。
【請求項２】
イソクエン酸デヒドロゲナーゼ２（ＩＤＨ２）の変異アレルの存在を特徴とする血管免
疫芽球性Ｔ細胞リンパ腫（ＡＩＴＬ）を治療するための医薬組成物であって、治療上有効
用量の変異ＩＤＨ２の阻害剤を含み、該阻害剤が、２−メチル−１−［（４−［６−（ト
リフルオロメチル）ピリジン−２−イル］−６−｛［２−（トリフルオロメチル）ピリジ
ン−４−イル］アミノ｝−１，３，５−トリアジン−２−イル）アミノ］プロパン−２−
オール、又は２−メチル−１−［（４−［６−（トリフルオロメチル）ピリジン−２−イ
ル］−６−｛［２−（トリフルオロメチル）ピリジン−４−イル］アミノ｝−１，３，５
−トリアジン−２−イル）アミノ］プロパン−２−オール・メタンスルホン酸塩である、前記医薬組成物。
【請求項３】
前記阻害剤が、２−メチル−１−［（４−［６−（トリフルオロメチル）ピリジン−２
−イル］−６−｛［２−（トリフルオロメチル）ピリジン−４−イル］アミノ｝−１，３
，５−トリアジン−２−イル）アミノ］プロパン−２−オール、又はその結晶形である、
請求項１又は２記載の医薬組成物。
【請求項４】
前記阻害剤が、２−メチル−１−［（４−［６−（トリフルオロメチル）ピリジン−２
−イル］−６−｛［２−（トリフルオロメチル）ピリジン−４−イル］アミノ｝−１，３
，５−トリアジン−２−イル）アミノ］プロパン−２−オール・メタンスルホン酸塩、又
はその結晶形である、請求項１又は２記載の医薬組成物。
【請求項５】
２−メチル−１−［（４−［６−（トリフルオロメチル）ピリジン−２−イル］−６−
｛［２−（トリフルオロメチル）ピリジン−４−イル］アミノ｝−１，３，５−トリアジ
ン−２−イル）アミノ］プロパン−２−オール、又は２−メチル−１−［（４−［６−（
トリフルオロメチル）ピリジン−２−イル］−６−｛［２−（トリフルオロメチル）ピリ
ジン−４−イル］アミノ｝−１，３，５−トリアジン−２−イル）アミノ］プロパン−２
−オール・メタンスルホン酸塩が、経口投与される、請求項１〜４のいずれか一項記載の
医薬組成物。
【請求項６】
前記治療上有効用量が、約３０ｍｇ〜約２００ｍｇである、請求項１〜４のいずれか一
項記載の医薬組成物。
【請求項７】
前記治療上有効用量が、約３０ｍｇ〜約１５０ｍｇである、請求項１〜６のいずれか一
項記載の医薬組成物。
【請求項８】
前記治療上有効用量が、約３０ｍｇ、又は約５０ｍｇ、又は約７５ｍｇ、又は約１００
ｍｇ、又は約１２５ｍｇ、又は約１５０ｍｇ、又は約１７５ｍｇ、又は約２００ｍｇ、又
は約２２５ｍｇ、又は約２５０ｍｇ、又は約２７５ｍｇ、又は約３００ｍｇである、請求
項１〜４のいずれか一項記載の医薬組成物。
【請求項９】
前記２−メチル−１−［（４−［６−（トリフルオロメチル）ピリジン−２−イル］−
６−｛［２−（トリフルオロメチル）ピリジン−４−イル］アミノ｝−１，３，５−トリ
アジン−２−イル）アミノ］プロパン−２−オール、又は２−メチル−１−［（４−［６
−（トリフルオロメチル）ピリジン−２−イル］−６−｛［２−（トリフルオロメチル）
ピリジン−４−イル］アミノ｝−１，３，５−トリアジン−２−イル）アミノ］プロパン
−２−オール・メタンスルホン酸塩が、５ｍｇ、又は１０ｍｇ、又は２５ｍｇ、又は５０
ｍｇ、又は１００ｍｇ、又は１５０ｍｇ、又は２００ｍｇの経口剤形で投与される、請求
項１〜３のいずれか一項記載の医薬組成物。